(57)【特許請求の範囲】
【請求項１】
原稿が載置される原稿読取面を有する第１の筐体構成部材および前記第１の筐体構成部材に取付けられた第２の筐体構成部材を含んで構成される筐体と、
前記筐体の内部に設けられ、副走査方向に移動することにより、前記原稿読取面を通して原稿を読取る原稿読取部と、
前記第１の筐体構成部材に設けられ、前記原稿読取面に載置された原稿の副走査方向の位置決めを行う原稿位置決め部と、
前記原稿位置決め部の主走査線を横切る平面上に位置するように、前記第１の筐体構成部材および前記第２の筐体構成部材のいずれか一方に設けられ、前記原稿読取部の副走査方向移動時の基準位置を検出する基準位置検出部と、
前記基準位置検出部からの検出情報に基づいて原稿の読取開始位置を設定する制御部と、を備えたことを特徴とする画像読取装置。
【請求項２】
前記第１の筐体構成部材および前記第２の筐体構成部材を前記原稿位置決め部の主走査線上で固定する固定手段が設けられることを特徴とする請求項１に記載の画像読取装置。
【請求項３】
前記固定手段に対して副走査方向に離隔した位置に設けられ、前記第１の筐体構成部材および前記第２の筐体構成部材が副走査方向に変形するのを許容するように前記第１の筐体構成部材および前記第２の筐体構成部材を固定する変形許容固定手段を有することを特徴とする請求項２に記載の画像読取装置。
【請求項４】
前記基準位置検出部が、前記第２の筐体構成部材に設けられることを特徴とする請求項１または請求項２に記載の画像読取装置。
【請求項５】
前記基準位置検出部が、前記第１の筐体構成部材に設けられることを特徴とする請求項１または請求項２に記載の画像読取装置。
【請求項６】
前記第１の筐体構成部材および前記第２の筐体構成部材が、同一の材質から構成されることを特徴とする請求項１〜請求項５のいずれか１項に記載の画像読取装置。
【請求項７】
請求項１ないし請求項６のいずれか１項に記載の画像読取装置を備えた画像形成装置であって、
前記画像読取装置によって読取られた画像をシート上に形成する画像形成手段を有することを特徴とする画像形成装置。
【発明の詳細な説明】
【技術分野】
【０００１】
本発明は、スキャナ装置および複写機やファクシミリ装置に設けられたスキャナ等の画像読取装置およびこの画像読取装置を備えた複写機やファクシミリ装置等の画像形成装置に関し、特に、原稿の画像の読取る画像読取部の移動時の基準位置を検出する画像読取部を備えた画像読取装置および画像読取装置を備えた画像形成装置に関する。
【背景技術】
【０００２】
複写機、ファクシミリ装置、スキャナ装置等の画像読取装置にあっては、原稿の画像を読取る画像読取部としてのスキャナユニットを備えている。このスキャナユニットは、ステッピングモータによって駆動される走行体をコンタクトガラス上に載置されている原稿の読取対象面に沿って移動させながら、走行体上の光源から発した光を、コンタクトガラスを介して原稿の読取対象面に照射する。
【０００３】
そして、原稿の読取対象面で得られた読取反射光をイメージセンサに導いて、読取対象面の画像を走行体移動方向である副走査方向に読取っていくようになっている。
【０００４】
この走行体の移動に際しては、停止位置であるホームポジションを基準にして原稿の読取りを開始する。このため、画像読取装置には、走行体の走行位置を検出するフォトインタラプタ等のホームポジションセンサが設けられており、走行体がホームポジションセンサによって検出されると、走行体は、ステッピングモータによってホームポジションセンサから一定の距離にあるホームポジションに停止されて待機される。
【０００５】
そして、ＣＰＵから原稿の読取りが要求されると、走行体がステッピングモータによってホームポジションを基準にして副走査方向の読取開始位置に移動され、読取開始位置から原稿の読取りが開始される（例えば、特許文献１、２参照）。
【０００６】
一般的にホームポジションセンサは、画像読取装置を構成する筐体に取付けられており、原稿は、筐体に設けられたコンタクトガラスの副走査方向端部に位置した状態でコンタクトガラス上に位置決めされている。
【０００７】
このため、原稿の副走査方向が位置決めされるコンタクトガラスの副走査方向一端部が原稿の読取開始位置となる。従来では、ホームポジションから読取開始位置までの距離をステッピングモータのパルス信号で管理しており、ホームポジションセンサによって原稿を精度よく検出する必要がある。
【発明の概要】
【発明が解決しようとする課題】
【０００８】
しかしながら、ホームポジションセンサを筐体に取付け、原稿の位置決めをコンタクトガラスの副走査方向一端部に設定することにより、ホームポジションから読取開始位置までの距離を管理した場合には、筐体が熱伸縮してしまうと、読取開始位置とホームポジションセンサと位置が副走査方向で相対的に変動してしまうことになる。
【０００９】
この場合には、ホームポジションセンサによって検出された走行体の走行位置を基準とするホームポジションに対して読取開始位置が正規の読取開始位置からずれてしまい、そのずれた分だけ画像の読取開始位置がずれてしまい、結果的に、画像の読取精度が悪化してしまうおそれがある。
【００１０】
本発明はこのような課題を解決するためになされたもので、筐体の熱伸縮の影響によって原稿位置決め部と基準位置検出部とが副走査方向に相対的に変動するのを抑制して、原稿読取部の基準位置を正確に検出することができ、原稿の画像を高精度に読取ることができる画像読取装置および画像読取装置を備えた画像形成装置を提供することである。
【課題を解決するための手段】
【００１１】
本発明の画像読取装置は、上記目的を達成するため、原稿が載置される原稿読取面を有する第１の筐体構成部材および前記第１の筐体構成部材に取付けられた第２の筐体構成部材を含んで構成される筐体と、前記筐体の内部に設けられ、副走査方向に移動することにより、前記原稿読取面を通して原稿を読取る原稿読取部と、前記第１の筐体構成部材に設けられ、前記原稿読取面に載置された原稿の副走査方向の位置決めを行う原稿位置決め部と、前記原稿位置決め部の主走査線を横切る平面上に位置するように、前記第１の筐体構成部材および前記第２の筐体構成部材のいずれか一方に設けられ、前記原稿読取部の副走査方向移動時の基準位置を検出する基準位置検出部と、前記基準位置検出部からの検出情報に基づいて原稿の読取開始位置を設定する制御部と、を備えて構成されている。
【００１２】
この画像読取装置は、原稿位置決め部の主走査線を横切る平面上に基準位置検出部が位置するように、基準位置検出部が第１の筐体構成部材および第２の筐体構成部材のいずれか一方に設けられるので、第１の筐体構成部材および第２の筐体構成部材が熱伸縮した場合に、原稿位置決め部と基準位置検出部とが副走査方向に相対的に変動するのを抑制することができる。
【００１３】
このため、基準位置検出部によって原稿読取部の位置を正確に検出することができ、基準位置検出部によって検出された原稿読取部の副走査方向の基準位置に基づいて原稿の読取開始位置が原稿位置決め部からずれてしまうのを防止することができ、画像の読取開始位置がずれてしまうのを防止することができる。この結果、原稿の画像を高精度に読取ることができる。
【００１４】
また、本発明の画像読取装置は、前記第１の筐体構成部材および前記第２の筐体構成部材を前記原稿位置決め部の主走査線上で固定する固定手段が設けられるものから構成されている。
【００１５】
この画像読取装置は、第１の筐体構成部材および第２の筐体構成部材を原稿位置決め部の主走査線上で固定する固定手段を有するので、第１の筐体構成部材および第２の筐体構成部材を固定手段を起点として、すなわち、原稿位置決め部と基準位置検出部とを起点として熱伸縮させることができ、原稿位置決め部と基準位置検出部とが副走査方向に相対的に変動するのをより一層抑制することができる。
【００１６】
特に、第１の筐体構成部材と第２の筐体構成部材の線膨張係数が異なる場合には、第１の筐体構成部材および第２の筐体構成部材が固定手段を起点として熱伸縮するので、原稿位置決め部と基準位置検出部とが副走査方向に相対的に変動するのを抑制することができる。
【００１７】
また、本発明の画像読取装置は、前記固定手段に対して副走査方向に離隔した位置に設けられ、前記第１の筐体構成部材および前記第２の筐体構成部材が副走査方向に変形するのを許容するように前記第１の筐体構成部材および前記第２の筐体構成部材を固定する変形許容固定手段を有するものから構成されている。
【００１８】
この画像読取装置は、固定手段に対して副走査方向に離隔した位置に設けられた変形許容固定手段によって第１の筐体構成部材および第２の筐体構成部材が副走査方向に変形するのを許容するように第１の筐体構成部材および第２の筐体構成部材が固定されるので、第１の筐体構成部材および第２の筐体構成部材が固定手段を起点として熱伸縮した場合に、第１の筐体構成部材および第２の筐体構成部材の副走査方向への変形が許容される。
このため、第１の筐体構成部材および第２の筐体構成部材に反りや歪み等が発生するのを防止することができる。
【００１９】
また、本発明の画像読取装置は、前記基準位置検出部が、前記第２の筐体構成部材に設けられるものから構成されている。
この画像読取装置は、基準位置検出部が第２の筐体構成部材に設けられるので、第１の筐体構成部材および第２の筐体構成部材が熱伸縮した場合に、原稿位置決め部と基準位置検出部とが副走査方向に相対的に変動するのを抑制することができる。
【００２０】
また、本発明の画像読取装置は、前記基準位置検出部が、前記第１の筐体構成部材に設けられるものから構成されている。
この画像読取装置は、基準位置検出部が第１の筐体構成部材に設けられるので、第１の筐体構成部材および第２の筐体構成部材が熱伸縮した場合に、原稿位置決め部と基準位置検出部との副走査方向への移動量を同じにすることができ、原稿位置決め部と基準位置検出部とが副走査方向に相対的に変動するのを抑制することができる。
【００２１】
特に、原稿位置決め部が設けられる第１の筐体構成部材に基準位置検出部が設けられるので、第１の筐体構成部材と第２の筐体構成部材の線膨張係数が異なる場合には、原稿位置決め部と基準位置検出部とが副走査方向に相対的に変動するのをより一層抑制することができる。
【００２２】
また、本発明の画像読取装置は、前記第１の筐体構成部材および前記第２の筐体構成部材が、同一の材質から構成されている。
この画像読取装置は、第１の筐体構成部材および第２の筐体構成部材が同一の材質から構成されているので、温度変化による第１の筐体構成部材および第２の筐体構成部材の熱伸縮量を略同一にすることができ、原稿位置決め部と基準位置検出部との副走査方向への移動量を同じにすることができる。このため、原稿位置決め部と基準位置検出部とが副走査方向に相対的に変動するのをより一層抑制することができる。
【００２３】
また、本発明の画像形成装置は、上述した画像読取装置を備えた画像形成装置であって、前記画像読取装置によって読取られた画像をシート上に形成する画像形成手段を有するものから構成されている。
【００２４】
この画像形成装置は、原稿位置決め部の主走査線を横切る平面上に基準位置検出部が位置するように、基準位置検出部が第１の筐体構成部材および第２の筐体構成部材のいずれか一方に設けられた画像読取装置を有するので、第１の筐体構成部材および第２の筐体構成部材が熱伸縮した場合に、原稿位置決め部と基準位置検出部とが副走査方向に相対的に変動するのを抑制することができる。
【００２５】
このため、基準位置検出部によって原稿読取部の位置を正確に検出することができ、基準位置検出部によって検出された原稿読取部の副走査方向の基準位置に基づいて原稿の読取開始位置が原稿位置決め部からずれてしまうのを防止することができる。
【００２６】
このため、画像の読取開始位置がずれてしまうのを防止することができ、画像の形成開始位置がずれてしまうのを防止することができる。この結果、原稿の画像を高精度にシート上に形成することができる。
【発明の効果】
【００２７】
以上説明したように、筐体の熱伸縮の影響によって原稿位置決め部と基準位置検出部とが副走査方向に相対的に変動するのを抑制して、原稿読取部の基準位置を正確に検出することができ、原稿の画像を高精度に読取ることができる画像読取装置および画像読取装置を備えた画像形成装置を提供することができる。
【図面の簡単な説明】
【００２８】
【図１】本発明に係る画像読取装置および画像形成装置の第１の実施の形態を示す図であり、複写機の概略構成図である。
【図２】本発明に係る画像読取装置および画像形成装置の第１の実施の形態を示す図であり、スキャナユニットの斜視図である。
【図３】本発明に係る画像読取装置および画像形成装置の第１の実施の形態を示す図であり、カバー部材および走行体本体を分解した状態のスキャナユニットの斜視図である。
【図４】本発明に係る画像読取装置および画像形成装置の第１の実施の形態を示す図であり、スキャナユニットの制御システムを示す図である。
【図５】本発明に係る画像読取装置および画像形成装置の第１の実施の形態を示す図であり、読取開始位置とホームポジションの位置関係を示す図である。
【図６】本発明に係る画像読取装置および画像形成装置の第１の実施の形態を示す図であり、ホームポジションセンサの取付け位置が異なる他の構成のカバー部材を背面から見た斜視図である。
【図７】本発明に係る画像読取装置および画像形成装置の第２の実施の形態を示す図であり、カバー部材および走行体本体を分解した状態のスキャナユニットの斜視図である。
【図８】本発明に係る画像読取装置および画像形成装置の第２の実施の形態を示す図であり、変形許容手段の断面図である。
【発明を実施するための形態】
【００２９】
以下、本発明の実施の形態について、図面を用いて説明する。
（第１の実施の形態）
図１〜図６は、本発明に係る画像読取装置および画像形成装置の第１の実施の形態を示す図であり、画像形成装置をスキャナ等の画像読取装置を備えた電子写真式の複写機に適用した例を示している。
【００３０】
なお、本実施の形態では本発明の画像形成装置が複写機である構成について説明するが、画像形成装置としては、ファクシミリ装置、ファクシミリ機能と複写機能を含んだ複合機等の他の画像形成装置であってもよい。
【００３１】
まず、構成を説明する。
図１において、画像形成装置としての複写機１は、プリンタユニット２、画像読取装置としてのスキャナユニット３および自動原稿搬送装置（以下、単にＡＤＦという）４とを含んで構成されている。
【００３２】
プリンタユニット２は、プリンタ部１０および給紙部１１を備えており、スキャナユニット３は、プリンタユニット２の上部に固定され、ＡＤＦ４は、プリンタユニット２の上部に固定されている。
【００３３】
給紙部１１は、ペーパーバンク１２内に多段に配設された給紙カセット１３、１４から転写紙（シート）を送り出す送出ローラ１５と、送り出された転写紙を分離して搬送経路１６に供給する分離ローラ１７と、搬送経路１６に転写紙を搬送する複数の搬送ローラ１８を含んで構成されている。
【００３４】
この給紙部１１は、給紙カセット１３、１４内の転写紙をプリンタ部１０内の搬送経路１９に給紙するようになっている。
プリンタ部１０の上に固定されたスキャナユニット３は、原稿ＭＳの画像を読取るための画像読取部として、光源２１ａ、反射ミラー２１ｂ、ＣＣＤ等の画像読取センサ２１ｃ等を有する走行体２１を備えており、この走行体２１は、副走査方向（図１中、左右方向）に移動自在となっている。
【００３５】
ＡＤＦ４は、原稿トレイ２２に載置された原稿ＭＳを読取装置に自動的に搬送するローラ等からなる原稿搬送部２３を備え、読取位置で読取りが終了した原稿を原稿搬送部２３によって排紙台２４に排紙するようになっている。
なお、原稿搬送部２３は、原稿束から原稿ＭＳを１枚ずつ分離して給紙する分離・給紙機能も有している。
【００３６】
また、スキャナユニット３には副走査方向に幅が短く主走査方向（図１中、紙面方向）に長尺なスリットガラス２５と、副走査方向および主走査方向に幅が大きい原稿読取面としてのコンタクトガラス２６とを備えている。
【００３７】
スキャナユニット３は、ＡＤＦ４によって搬送される原稿ＭＳが読取位置であるスリットガラス２５上を通過する際に、走行体２１に設けられた光源２１ａから発した光を原稿面で順次反射させながら、反射ミラー２１ｂを経由させて画像読取センサ２１ｃで受光する。これにより、光源２１ａや反射ミラー２１ｂを有する走行体２１を移動させることなく、原稿ＭＳを走査する。
【００３８】
一方、スキャナユニット３は、コンタクトガラス２６にブック原稿等が載置された場合には、走行体２１を図１中、左方の待機位置からコンタクトガラス２６の直下であって、図１中、右方に移動させて行く過程で、走行体２１の光源２１ａから発した光をコンタクトガラス２６上に載置された原稿で反射させた後、反射ミラー２１ｂを経由させて、画像読取センサ２１ｃで受光する。これにより、走行体２１を移動させながら、原稿ＭＳを走査する。
【００３９】
このように、スキャナユニット３において原稿ＭＳを走査し、画像読取センサ２１ｃで得られた画像情報に基づいて、後述するように光書込装置３０では光源を駆動してドラム状の４つの感光体３２（Ｋ、Ｙ、Ｍ、Ｃ）に向けてレーザー光Ｌを照射する。
【００４０】
プリンタ部１０は、光書込装置３０からの書込信号に基づいて各色のトナー像を形成する４つの作像ユニット３１（Ｋ、Ｙ、Ｍ、Ｃ）、転写ユニット３３、搬送ユニット３４、レジストローラ対３５、定着装置３６等を備えている。
【００４１】
そして、光書込装置３０内に配設された図示しないレーザーダイオードやＬＥＤ等の光源を駆動して、ドラム状の４つの感光体３２（Ｋ、Ｙ、Ｍ、Ｃ）に向けてレーザー光Ｌを照射する。
【００４２】
この照射により、潜像担持体たる感光体３２（Ｋ、Ｙ、Ｍ、Ｃ）の表面には静電潜像が形成され、この潜像は所定の現像プロセスを経由してトナー像に現像される。なお、符号の後に付されたＫ、Ｙ、Ｍ、Ｃという添字は、ブラック、イエロー、マゼンタ、シアン用の仕様であることを示している。なお、各色に対応するトナーは、それぞれの色に着色された樹脂材料からなり、これらの樹脂材料は、後述する定着装置３６の定着液により溶解または膨潤する。
【００４３】
作像ユニット３１（Ｋ、Ｙ、Ｍ、Ｃ）は、それぞれ、潜像担持体である感光体３２と、その周囲に配設される各種装置とを１つのユニットとして共通の支持体によって支持するものであり、複写機１の本体に対して着脱可能になっている。
【００４４】
また、作像ユニット３１（Ｋ、Ｙ、Ｍ、Ｃ）は、感光体３２（Ｋ、Ｙ、Ｍ、Ｃ）の他に、感光体３２（Ｋ、Ｙ、Ｍ、Ｃ）の表面に形成された静電潜像をカラー画像に現像するための現像装置、感光体３２（Ｋ、Ｙ、Ｍ、Ｃ）に付着した転写残トナーをクリーニングするドラムクリーニング装置等を含んで構成されている。
【００４５】
また、感光体３２（Ｋ、Ｙ、Ｍ、Ｃ）に付着されたカラー画像は、中間転写ベルト３９に転写されるようになっており、この中間転写ベルト３９に転写されたカラー画像は、搬送経路１９上を搬送され、レジストローラ対３５によって転写タイミングが図られる転写紙に転写される。
【００４６】
中間転写ベルト３９からカラー画像が転写された転写紙は、中継ベルト４０によって定着装置３６に搬送され、定着装置３６によってカラー画像が定着された後、排紙ローラ４１、４２を介して排紙台４３に排紙される。
【００４７】
次に、図２〜図４に基づいてスキャナユニット３の構成を説明する。
図２、図３において、スキャナユニット３は、第１の筐体構成部材としてのカバー部材５１と、上端外周面に図示しないネジ部によって取付けられた第２の筐体構成部材としての走行体本体５２とを備えており、カバー部材５１および走行体本体５２は、共にＡＢＳ樹脂等の同一の樹脂材料からなり、筐体５３を構成している。なお、カバー部材５１および走行体本体５２を構成する樹脂材料は、ＡＢＳ樹脂に限定されるものではない。
【００４８】
カバー部材５１にはスリットガラス２５およびコンタクトガラス２６が取付けられており、コンタクトガラス２６の副走査方向の一端部に位置するカバー部材５１の部位には段部５１ａが形成されている。
【００４９】
コンタクトガラス２６に載置された原稿ＭＳの副走査方向一端部は、段部５１ａに当接するようになっており、原稿ＭＳは、段部５１ａによって副走査方向に位置決めされるようになっている（図５参照）。なお、段部５１ａは、原稿位置決め部を構成している。
【００５０】
走行体２１は、筐体５３の内部に収容されており、走行体２１は、ガイドロッド５４およびガイドレール５５に案内されて副走査方向に移動自在となっている。
【００５１】
ガイドロッド５４は、走行体２１の主走査方向の一方側に挿通されており、走行体本体５２の副走査方向に亘って延在している。また、ガイドレール５５は、走行体２１の主走査方向の両端部に設けられており（図示は一方のガイドレールのみ）、走行体本体５２の副走査方向に亘って延在している。
【００５２】
また、走行体本体５２には走行体２１の図示しない移動手段が設けられており、この移動手段は、公知のようにプーリやワイヤ等から構成され、ステッピングモータによってプーリが駆動されることで、ワイヤを介して走行体２１を副走査方向に移動させるようになっている。
【００５３】
また、走行体本体５２の底面には基準位置検出部としてのフォトインタラプタからなるホームポジションセンサ５６が設けられており、このホームポジションセンサ５６は、対向する発光部５６ａと受光部５６ｂとを有し、発光部５６ａからの光を走行体２１が遮るのを受光部５６ｂで検出することによって、走行体２１の有無や位置を検出するようになっている。
【００５４】
走行体２１には凸部２１ｄを挟んで走行体２１の副走査方向に延在するスリット２１ｅ、２１ｆが形成されており、走行体２１は、副走査方向に移動するときに、ホームポジションセンサ５６をスリット２１ｅ、２１ｆに収容しながら走行することにより、ホームポジションセンサ５６と衝突しないようになっている。
【００５５】
そして、ホームポジションセンサ５６は、スリット２１ｅ、２１ｆに収容されたときに、発光部５６ａからの光が凸部２１ｄによって遮られることで走行体２１の有無や位置を検出するようになっている。
【００５６】
このホームポジションセンサ５６は、発光部５６ａおよび受光部５６ｂが段部５１ａの主走査線Ｓを横切る平面上（図３には破線Ｍで示す四角形）に位置するようにして走行体本体５２の底面に取付けられており、この位置が走行体２１の副走査方向の基準位置に設定されている。
【００５７】
図４は、スキャナユニット３の制御システムを示す図であり、制御システムは、ＣＰＵ（central processing unit）、ＲＡＭ（Random Access Memory）、ＲＯＭ（Read Only Memory）等からなるシステム制御部６１と、ホームポジションセンサ５６と、モータ駆動部６２と、読取制御部６４とを含んで構成されている。なお、図４に示す制御システムは、本発明に直接に関係のある制御システムのみを示している。
【００５８】
モータ制御部６２は、システム制御部６１から制御信号によってステッピングモータ６３を駆動するようになっており、このステッピングモータ６３は、走行体２１を副走査方向に移動させるプーリを回転駆動するようになっている。
また、システム制御部６１は、読取制御部６４に制御信号を送信するようになっており、読取制御部６４は、制御信号に基づいて走行体２１に設けられた光源２１ａや画像読取センサ２１ｃを駆動して原稿の読取りを行うようになっている。
【００５９】
また、システム制御部６１は、走行体２１の副走査方向の一方の面が段部５１ａの鉛直方向下方に位置した時点で原稿の読取りを開始するようになっており、段部５１ａの主走査方向が読取基準位置となっている。
具体的には、図５に示すように、段部５１ａから左側にホームポジションが設定されており、このホームポジションが走行体２１の待機位置となる。
【００６０】
システム制御部６１のＲＯＭまたはＲＡＭには、ホームポジションからホームポジションセンサ５６までのステッピングモータ６３のパルス数が記憶されている。
システム制御部６１は、走行体２１が図５中、右側から左側にリターンしたときに、走行体２１がホームポジションセンサ５６を検出してＯＮとなり、さらにリターン方向に移動してホームポジションセンサ５６がＯＦＦに切換わってからステッピングモータ６３をＲＡＭに記憶されたパルス数だけ回転させることにより、走行体２１をホームポジションに移動させて待機させる。
【００６１】
また、システム制御部６１は、原稿ＭＳの読取りを行う場合には、ホームポジションから読取開始位置、すなわち、ホームポジションから段部５１ａの直下までの距離に相当するパルス数（Ｐパルス）だけステッピングモータ６３をＰパルスだけ駆動したときに、読取制御部６４を制御することによって、走行体２１に設けられた光源２１ａから原稿ＭＳに光を照射することにより、原稿の読取りを開始する。
【００６２】
このように、本実施の形態では、ホームポジションセンサ５６が走行体２１の副走査方向の基準位置を検出し、システム制御部６１がホームポジションセンサ５６からの検出情報に基づいて原稿ＭＳの読取開始位置を設定している。
【００６３】
以上の構成を有する複写機１のスキャナユニット３は、カバー部材５１に原稿位置決め部を構成する段部５１ａを形成し、発光部５６ａおよび受光部５６ｂが段部５１ａの主走査線Ｓを横切る平面上（図３には破線Ｍで示す四角形）に位置するようにホームポジションセンサ５６を走行体本体５２の底面に取付けているので、ホームポジションセンサ５６の発光部５６ａおよび受光部５６ｂを段部５１ａの鉛直方向の直下に位置させることができる。
【００６４】
このため、カバー部材５１および走行体本体５２が複写機１を構成する熱源、例えば、定着装置３６の熱の影響を受けて熱伸縮した場合に、段部５１ａとホームポジションセンサ５６とが副走査方向に相対的に変動するのを抑制することができる。
【００６５】
このため、ホームポジションセンサ５６によって走行体２１の位置を正確に検出することができ、ホームポジションセンサ５６によって検出された走行体２１の副走査方向の基準位置に基づいて原稿の読取開始位置が段部５１ａからずれてしまうのを防止することができ、画像の読取開始位置がずれてしまうのを防止することができる。この結果、原稿の画像を高精度に読取ることができ、原稿の画像を高精度にシート上に形成することができる。
【００６６】
特に、本実施の形態では、カバー部材５１および走行体本体５２を同一の材質から構成しているので、温度変化によるカバー部材５１および走行体本体５２の熱伸縮量を略同一にすることができ、段部５１ａとホームポジションセンサ５６との副走査方向への移動量を同じにすることができる。このため、段部５１ａとホームポジションセンサ５６とが副走査方向に相対的に変動するのをより一層抑制することができる。
【００６７】
なお、本実施の形態では、ホームポジションセンサ５６を走行体本体５２の底面に設けているが、図６に示すように、ホームポジションセンサ５６を、発光部５６ａおよび受光部５６ｂが段部５１ａの主走査線Ｓを横切る平面上に位置するようにしてカバー部材５１の背面、すなわち、走行体本体５２の底面に対向するカバー部材５１の面に設けてもよい。
【００６８】
このようにすれば、段部５１ａとホームポジションセンサ５６との副走査方向への移動量を同じにすることができ、段部５１ａとホームポジションセンサ５６とが副走査方向に相対的に変動するのを抑制することができる。
また、このようにすれば、カバー部材５１と走行体本体５２とが線膨張係数が異なる材料から構成される場合であっても、段部５１ａとホームポジションセンサ５６とが副走査方向に相対的に変動するのを抑制することができる。
【００６９】
（第２の実施の形態）
図７、図８は、本発明に係る画像読取装置および画像形成装置の第２の実施の形態を示す図であり、第１の実施の形態と同一の構成には同一の番号を付して説明を省略する。
【００７０】
図７、図８において、カバー部材５１の四隅には長穴５１ｂが形成されており、この長穴５１ｂに対向する走行体本体５２の四隅にはボルト螺合部５２ａが形成され、このボルト螺合部５２ａには長穴５１ｂを通してボルト７１が螺合されるようになっている。
【００７１】
また、長穴５１ｂは、主走査方向に対してボルト７１の直径と略同一の幅を有するとともに、副走査方向に対してボルト７１の直径よりも大きく形成されており、カバー部材５１の長穴５１ｂは、ボルト７１に沿って副走査方向に移動自在となっている。本実施の形態では、長穴５１ｂ、ボルト螺合部５２ａおよびボルト７１が変形許容手段を構成している。
【００７２】
また、カバー部材５１の段部５１ａの主走査線Ｓ上の両側、すなわち、段部５１ａの主走査線Ｓ上には丸穴５１ｃが形成されており、この丸穴５１ｃに対向する走行体本体５２にはボルト螺合部５２ｂが形成されている。
【００７３】
このボルト螺合部５２ｂには丸穴５１ｃを通してボルト７２が螺合されるようになっており、カバー部材５１の丸穴５１ｃの直径は、ボルト７２の直径と略同一となっている。したがって、カバー部材５１の丸穴５１ｃは、ボルト７１に沿って副走査方向に移動しない。
【００７４】
本実施の形態では、長穴５１ｂが丸穴５１ｃに対して副走査方向に離隔して設けられており、丸穴５１ｃ、ボルト螺合部５２ｂおよびボルト７２が固定手段を構成している。
【００７５】
以上の構成を有する複写機１のスキャナユニット３は、カバー部材５１および走行体本体５２を段部５１ａの主走査線Ｓ上で固定する丸穴５１ｃ、ボルト螺合部５２ｂおよびボルト７２を有するので、カバー部材５１および走行体本体５２をボルト７２等の固定手段を起点として、すなわち、段部５１ａとホームポジションセンサ５６とを起点として熱伸縮させることができ、段部５１ａとホームポジションセンサ５６とが副走査方向に相対的に変動するのをより一層抑制することができる。
【００７６】
また、本実施の形態では、カバー部材５１と大面積のコンタクトガラス２６との線膨張係数が異なるため、カバー部材５１と走行体本体５２との熱収縮量が異なることが懸念されるが、上述したように、カバー部材５１および走行体本体５２を段部５１ａとホームポジションセンサ５６とを起点として熱伸縮させることができるため、段部５１ａとホームポジションセンサ５６とが副走査方向に相対的に変動するのをより一層抑制することができる。
また、本実施の形態では、カバー部材５１および走行体本体５２をボルト７２等の固定手段を起点として熱伸縮させることができるため、カバー部材５１および走行体本体５２の線膨張係数が異なる場合であっても、段部５１ａとホームポジションセンサ５６とが副走査方向に相対的に変動するのを抑制することができる。
【００７７】
また、本実施の形態では、丸穴５１ｃ等の固定手段に対して副走査方向に離隔した位置に設けられ、カバー部材５１および走行体本体５２が副走査方向に変形するのを許容するようにカバー部材５１および走行体本体５２を固定する長穴５１ｂ等の変形許容固定手段を設けたので、カバー部材５１および走行体本体５２がボルト７２等の固定手段を起点として熱伸縮した場合に、カバー部材５１および走行体本体５２の副走査方向への変形を許容することができる。このため、カバー部材５１および走行体本体５２に反りや歪み等が発生するのを防止することができる。
なお、上記各実施の形態では、筐体５３を、カバー部材５１および走行体本体５２の２つの構成部材から構成しているが、３つ以上の構成部材から筐体５３を構成してもよい。
【産業上の利用可能性】
【００７８】
以上のように、本発明に係る画像読取装置および画像形成装置は、筐体の熱伸縮の影響によって原稿位置決め部と基準位置検出部とが副走査方向に相対的に変動するのを抑制して、原稿読取部の基準位置を正確に検出することができ、原稿の画像を高精度に読取ることができる画像読取装置および画像読取装置を備えた画像形成装置を提供することができるという効果を有し、原稿の画像の読取る画像読取部の移動時の基準位置を検出する画像読取部を備えた画像読取装置および画像読取装置を備えた画像形成装置等として有用である。
【符号の説明】
【００７９】
１  複写機（画像形成装置）
３  スキャナユニット（画像読取装置）
２１  走行体（画像読取部）
２６  コンタクトガラス（原稿読取面）
５１  カバー部材（第１の筐体構成部材）
５１ａ  段部（原稿位置決め部）
５１ｂ  長穴（変形許容固定手段）
５１ｃ  丸穴（固定手段）
５２  走行体本体（第２の筐体構成部材）
５２ａ  ボルト螺合部（変形許容固定手段）
５２ｂ  ボルト螺合部（固定手段）
５３  筐体
５６  ホームポジションセンサ（基準位置検出部）
７１  ボルト（変形許容固定手段）
７２  ボルト（固定手段）
【先行技術文献】
【特許文献】
【００８０】
【特許文献１】特開２００９−２０６６２３号公報
【特許文献２】特開２００６−１０７１８号公報
【図１】
0005640551.tif 000002
【図２】
0005640551.tif 000003
【図３】
0005640551.tif 000004
【図４】
0005640551.tif 000005
【図５】
0005640551.tif 000006
【図６】
0005640551.tif 000007
【図７】
0005640551.tif 000008
【図８】
0005640551.tif 000009